(57)【要約】【課題】かご内閉じ込め発生時に乗客が感じる息苦しさや窒息感を解消して、閉じ込めによる不安感を緩和するためのエレベータの閉じ込め時作動システムを提供する。【解決手段】エレベータの閉じ込め時作動システム１０は、かご１２に設置されてかご１２内に送風する送風装置１８と、送風装置１８の不作動時にかご１２内での乗客２の閉じ込めが発生したときに送風装置１８を作動させるよう制御する制御部（５０）とを備える。【選択図】図１
2009256021.tif 000002
【特許請求の範囲】
【請求項１】
かごに設置されてかご内に送風する送風装置と、送風装置の不作動時にかご内での乗客閉じ込めが発生したときに送風装置を作動させるよう制御する制御部と、を備えるエレベータの閉じ込め時作動システム。
【請求項２】
請求項１に記載のエレベータの閉じ込め時作動システムにおいて、
制御部は、かご内操作盤で行き先階登録がなされてから所定時間以上経ってもかご扉開動作がないときに閉じ込めが発生していると検知して、送風装置を作動させることを特徴とするエレベータの閉じ込め時作動システム。
【請求項３】
請求項１または２に記載のエレベータの閉じ込め時作動システムにおいて、
制御部は、かご内操作盤で行き先階登録がなされてから所定時間以上経ってもかご扉開動作がないときに閉じ込めが発生していると検知して閉じ込め信号を通信回線を介して遠隔情報センタに送信し、遠隔情報センタからの送風装置作動指令に応じて送風装置を作動させることを特徴とするエレベータの閉じ込め時作動システム。
【請求項４】
請求項１に記載のエレベータの閉じ込め時作動システムにおいて、
かご内には外部との通話を可能にする通話装置が設置されており、通話装置は制御部から通信回線を介して遠隔情報センタに接続され、閉じ込めが発生したときにかご内の乗客は通話装置を用いて遠隔情報センタと通話可能になり、制御部は、通話装置によって乗客からの閉じ込め発生の連絡を受けた後に遠隔情報センタから送信される送風装置作動指令に応じて送風装置を作動させることを特徴とするエレベータの閉じ込め時作動システム。
【請求項５】
請求項１から４のいずれか１つに記載のエレベータの閉じ込め時作動システムにおいて、
乗客閉じ込め発生時にエレベータが設置される建物に到着した保守員が所持する情報記憶媒体から保守員識別情報を読み取る情報読取部をさらに含み、制御部は、情報読取部によって保守員識別情報が読み取られたときに通話装置のスピーカを介してかご内の乗客に保守員の到着を知らせる音声アナウンスを発生させることを特徴とするエレベータの閉じ込め時作動システム。
【請求項６】
請求項５に記載のエレベータの閉じ込め時作動システムにおいて、
情報読取部は、エレベータが設置される建物の基準階乗場の壁に配置されたかご呼びボタン装置に組み込まれていることを特徴とするエレベータの閉じ込め時作動システム。
【請求項７】
請求項５に記載のエレベータの閉じ込め時作動システムにおいて、
情報読取部は、エレベータが設置される建物のエントランスホールに設置されていることを特徴とするエレベータの閉じ込め時作動システム。
【請求項８】
請求項５から７のいずれか１つに記載のエレベータの閉じ込め時作動システムにおいて、
情報記憶媒体は、保守員識別情報を記憶するＩＣチップ内蔵のＩＣカードであり、情報読取部はＩＣカードから保守員識別情報を非接触で読み取ることを特徴とするエレベータの閉じ込め時作動システム。
【請求項９】
請求項８に記載のエレベータの閉じ込め時作動システムにおいて、
ＩＣカードは、保守員が常時携帯または着用する名札として構成されることを特徴とするエレベータの閉じ込め時作動システム。
【請求項１０】
請求項１から９のいずれか１つに記載のエレベータの閉じ込め時作動システムにおいて、
送風装置は、外部から取り込んだ空気をかご内にそのまま吹き込むファン、または、外部から取り込んだ空気について温度や湿度を調整してかご内に吹き込むエアコンであることを特徴とするエレベータの閉じ込め時作動システム。
【発明の詳細な説明】
【技術分野】
【０００１】
本発明は、エレベータの閉じ込め時作動システムに係り、詳しくは、エレベータのかご内に乗客が閉じ込められたときに作動してかご内の乗客の不安感を緩和するシステムに関する。
【背景技術】
【０００２】
従来、機器類の故障等が原因でエレベータが緊急停止してかご内に乗客が閉じ込められたとき、乗客はかご内に設置されている非常用インターホンの呼び出しボタンを押すことで、インターホンのマイクおよびスピーカを介して建物の管理人室またはエレベータを監視する遠隔情報センタと連絡を取ることができるようになっている。
【０００３】
ここで、特許文献１には、エレベータにおいて乗客がかご内に閉じ込められたときに、かご内に設置したディスプレイ装置に表示される地図上で、乗客救出のためにその建物に向かっているエレベータ管理会社の保守員の位置を乗客に対して視覚的に示すことで、乗客の不安感や焦燥感を和らげるようにした、エレベータの非常時案内システムが開示されている。
【０００４】
また、特許文献２には、エレベータ乗りかごに設置されるファンを遠隔制御によって作動可能にすることで、保守員の出動負担を軽減するようにしたエレベータ乗りかご内機器の遠隔制御装置が開示されている。
【０００５】
【特許文献１】特開２００２−２８４４５７号公報
【特許文献２】特開２００２−３０８５３９号公報
【発明の開示】
【発明が解決しようとする課題】
【０００６】
通常、エレベータのかご上にはファンまたはエアコンからなる送風装置が設置されているが、特に冬季期間中はファン等の送風装置が作動停止されていることが多い。そのため、送風装置の不作動時にかご内閉じ込めが発生した場合、エレベータのかごは壁面に開口部がないため密室に感じてただでさえ閉塞感を覚えるうえに送風装置が作動していないとなると、閉じ込められている乗客は息苦しさや窒息感を覚えることがあり、閉じ込めによる不安感がより一層煽られてパニック状態に陥るおそれがある。
【０００７】
本発明の目的は、かご内閉じ込め発生時に乗客が感じる息苦しさや窒息感を解消して、閉じ込めによる不安感を緩和するためのエレベータの閉じ込め時作動システムを提供することにある。
【課題を解決するための手段】
【０００８】
本発明に係るエレベータの閉じ込め時作動システムは、かごに設置されてかご内に送風する送風装置と、送風装置の不作動時にかご内での乗客閉じ込めが発生したときに送風装置を作動させるよう制御する制御部と、を備える。
【０００９】
本発明に係るエレベータの閉じ込め時作動システムにおいて、制御部は、かご内操作盤で行き先階登録がなされてから所定時間以上経ってもかご扉開動作がないときに閉じ込めが発生していると検知して、送風装置を作動させてもよい。
【００１０】
また、本発明に係るエレベータの閉じ込め時作動システムにおいて、制御部は、かご内操作盤で行き先階登録がなされてから所定時間以上経ってもかご扉開動作がないときに閉じ込めが発生していると検知して閉じ込め信号を通信回線を介して遠隔情報センタに送信し、遠隔情報センタからの送風装置作動指令に応じて送風装置を作動させてもよい。
【００１１】
また、本発明に係るエレベータの閉じ込め時作動システムにおいて、かご内には外部との通話を可能にする通話装置が設置されており、通話装置は制御部から通信回線を介して遠隔情報センタに接続され、閉じ込めが発生したときにかご内の乗客は通話装置を用いて遠隔情報センタと通話可能になり、制御部は、通話装置によって乗客からの閉じ込め発生の連絡を受けた後に遠隔情報センタから送信される送風装置作動指令に応じて送風装置を作動させてもよい。
【００１２】
また、本発明に係るエレベータの閉じ込め時作動システムにおいて、乗客閉じ込め発生時にエレベータが設置される建物に到着した保守員が所持する情報記憶媒体から保守員識別情報を読み取る情報読取部をさらに含み、制御部は、情報読取部によって保守員識別情報が読み取られたときに通話装置のスピーカを介してかご内の乗客に保守員の到着を知らせる音声アナウンスを発生させてもよい。
【００１３】
また、本発明に係るエレベータの閉じ込め時作動システムにおいて、情報読取部は、エレベータが設置される建物の基準階乗場の壁に配置されたかご呼びボタン装置に組み込まれていてもよいし、あるいは、情報読取部は、エレベータが設置される建物のエントランスホールに設置されていてもよい。
【００１４】
また、本発明に係るエレベータの閉じ込め時作動システムにおいて、情報記憶媒体は、保守員識別情報を記憶するＩＣチップ内蔵のＩＣカードであり、情報読取部はＩＣカードから保守員識別情報を非接触で読み取るようにしてもよい。この場合、ＩＣカードは、保守員が常時携帯または着用する名札として構成されてもよい。
【００１５】
さらに、本発明に係るエレベータの閉じ込め時作動システムにおいて、送風装置は、外部から取り込んだ空気をかご内にそのまま吹き込むファン、または、外部から取り込んだ空気について温度や湿度を調整してかご内に吹き込むエアコンであってもよい。
【発明の効果】
【００１６】
本発明に係るエレベータの閉じ込め時作動システムによれば、送風装置の不作動時にかご内での乗客閉じ込めが発生したときに制御部によって送風装置を作動させるよう制御するので、かご内の乗客は送風装置の作動開始によってかご内に空気が送り込まれているのを感じることで息苦しさや窒息感を覚えることがなくなり、その結果、閉じ込めによる不安感が緩和される。
【００１７】
また、閉じ込められた乗客を救出するために出動した保守員がその建物に到着したことを情報読取部で検知して乗客に対して音声アナウンスで知らせるようにすれば、閉じ込められた乗客がもうすぐ救出されることを期待することで不安感を解消することができる。
【発明を実施するための最良の形態】
【００１８】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００１９】
図１は、本発明の一実施形態であるエレベータの閉じ込め時作動システム１０が組み込まれているエレベータ１のかご１２を、かご扉１４を正面に向かって見た状態を示す図である。かご１２の上部には、ワイヤ製のロープ１６が連結されており、このロープ１６が図示しない巻上機によって巻き上げまたは巻き降ろしされることによってかご１２が昇降路１７内を上下に移動するようになっている。
【００２０】
かご１２上には、かご１２内に送風するための送風装置１８が設置さている。送風装置１８は、エレベータの閉じ込め時作動システム１０の一部を構成するもので、外部から取り込んだ空気をかご１２内にそのまま吹き込むファンであってもよいし、または、外部から取り込んだ空気について温度や湿度を調整してかご１２内に吹き込むエアコンであってもよい。
【００２１】
かご１２内においてかご扉１４の側方壁には、扉開閉ボタン２０および複数階床分の行き先階登録ボタン２２を含むかご内操作盤２３が設置されている。また、行き先階登録ボタン２２の上方には、呼び出しボタン２４およびマイク・スピーカ部２６からなる非常用インターホン（通話装置）２８が配置されている。非常用インターホン２８は、かご内操作盤２３の一部として構成されてもよい。
【００２２】
非常用インターホン２８は、閉じ込め等の非常時に乗客２が呼び出しボタン２４を押すことによってマイク・スピーカ部２６を介して外部との通話を可能にするものである。ここで、「外部」には、建物内の管理人室や遠隔情報センタ等が含まれる。
【００２３】
図２は、エレベータが設置される建物の基準階、例えば１階のエレベータ乗場３０を示す図である。乗場３０には、かご１２のかご扉１４に連動して開閉動作する乗場扉３２が設置されており、乗場扉３２の周囲を取り囲んで三方枠３４が乗場壁３６に固定されている。
【００２４】
三方枠３４の側方の乗場壁３６には、かご呼びボタン装置３８が取り付けられている。かご呼びボタン装置３８は、かご１２の呼び登録を行うときに押し操作されるかご呼びボタン４０を含むと共に、情報読取部４２が組み込まれている。情報読取部４２は、後述するように、保守員３が着用する名札４に内蔵されたＩＣチップから保守員識別情報を非接触で読み取る機能を有するものである。
【００２５】
図３は、エレベータ１の全体制御を司るエレベータ制御盤（制御部）５０を中心として他の機器類との電気的接続関係を示すブロック図である。エレベータ制御盤５０は、本実施形態における閉じ込め時作動システム１０の一部を構成するもので、かご１２が配置される昇降路１７の最下部に位置するピットに設置されている。エレベータ制御盤５０には、送風装置１８、非常用インターホン２８、および、情報読取部４２が電気的にそれぞれ接続されている。また、エレベータ制御盤５０は、電話回線やインターネット等の通信回線５２を介して遠隔情報センタ５４と接続されている。遠隔情報センタ５４は、所管する地域内に設置される多数のエレベータを遠隔にて一括監視する部署であって、通信回線５２を介してエレベータ制御盤５０へ送風装置作動指令を送信することによってかご１２の送風装置１８を作動させることができると共に、かご１２内の乗客２と非常用インターホン２８を介して通話することができるようになっている。
【００２６】
続いて、上記構成からなるエレベータの閉じ込め時作動システム１０の動作について説明する。図４は、閉じ込め時作動システム１０の動作手順を示すフローチャートである。
【００２７】
まず、閉じ込め時作動システム１０は、かご１２内での乗客閉じ込めが発生したことを検知する（ステップＳ１０）。閉じ込め発生は、遠隔情報センタ５４において、エレベータ制御盤５０から送信される閉じ込め信号の受信、または、閉じ込められた乗客２による非常用インターホン２８を介しての連絡によって検知する。エレベータ制御盤５０は、かご１２内のかご内操作盤２３の行き先階登録ボタン２２によって行き先階登録がなされてから所定時間以上経過してもかご扉１４の開動作がないときに、閉じ込めが発生したと判定して閉じ込め信号を生成する。ここで、上記「所定時間」は、通常のかご扉開放時間と登録目的階にかご１２が着床するまでに通常要する時間とに余裕時間を考慮して設定される時間期間である。
【００２８】
かご１２の送風装置１８の作動停止時、例えば冬季期間中に閉じ込めが発生したとき、エレベータ制御盤５０は遠隔情報センタ５４からの送風装置作動指令を受けて送風装置１８を作動させる（ステップＳ１２）。これにより、かご１２内に閉じ込められた乗客２は、送風装置１８の作動開始によってかご１２内に空気が送り込まれているのを感じることで息苦しさや窒息感を覚えることがなくなり、その結果、閉じ込めによる不安感が緩和される。
【００２９】
なお、送風装置１８の作動停止時に閉じ込め信号が生成されたとき、エレベータ制御盤５０は、遠隔情報センタ５４からの送風装置作動指令によらずに送風装置１８を自動的に作動開始させてもよい。
【００３０】
遠隔情報センタ５４では、閉じ込め発生を受けて、閉じ込めが発生している建物に最速で到達できそうな保守員３を出動させる。保守員３は、作業服の胸ポケット辺りに名札４を常に着用しており、名札４は保守員識別情報を記憶したＩＣチップを内蔵したＩＣカードになっている。ただし、保守員識別情報を記憶した記憶媒体は、必ずしもＩＣカードに限定されるものではなく、保守員が常時携帯または着用する他の物品にＩＣチップを組み込んでもよい。
【００３１】
閉じ込めが発生している建物に保守員３が到着して（ステップＳ１４）、１階のエレベータ乗場３０へ接近すると、乗場３０に設置されている情報読取部４２が保守員３の名札４から保守員識別情報を非接触で読み取る（ステップＳ１６）。情報読取部４２によって保守員識別情報が読み取られると、エレベータ制御盤５０は、非常用インターホン２８のスピーカ部２６を介して「保守員が到着しました。直ちに救出活動を行いますので、もうしばらくお待ちください。」といった音声アナウンスを発生させて（ステップＳ１８）、かご１２内の乗客２に保守員３の到着を知らせる。これにより、閉じ込められている乗客２は、もうすぐ救出されることが期待されることで、不安感を解消することできる。また、このような音声アナウンスをすることで、現場に到着した保守員３は、まずかご１２内の乗客２に対して呼びかけを行って乗客２を安心させるための行動を採ることなく直ちに救出作業を開始することができ（ステップＳ２０）、乗客２の一刻も早い救出に資することになる。
【００３２】
なお、本発明に係るエレベータの閉じ込め時作動システムは、本実施形態の構成に限定されるものではなく、発明の技術的範囲内において種々の変更や改良が可能である。
【００３３】
例えば、上記においては、情報読取部４２を乗場３０のかご呼びボタン装置３８に組み込むものとして説明したが、かご１２内の乗客２に保守員３の到着を少しでも早く知らせるために、情報読取装置を建物のエントランスホールであって入口近傍の天井または壁に設置してもよい。
【図面の簡単な説明】
【００３４】
【図１】本発明の一実施形態であるエレベータの閉じ込め時作動システムが組み込まれたエレベータのかごを示す概略構成図である。
【図２】本発明の一実施形態であるエレベータの閉じ込め時作動システムが組み込まれたエレベータの基準階乗場を示す図である。
【図３】エレベータ制御盤と他の機器類および部署との電気的接続関係を示すブロック図である。
【図４】エレベータの閉じ込め時作動システムの動作手順を示すフローチャートである。
【符号の説明】
【００３５】
１  エレベータ、２  乗客、３  保守員、４  名札、１０  閉じ込め時作動システム、１２  かご、１４  かご扉、１６  ロープ、１７  昇降路、１８  送風装置、２０  扉開閉ボタン、２２  行き先階登録ボタン、２３  かご内操作盤、２４  呼び出しボタン、２６  マイク・スピーカ部、２８  非常用インターホン、３０  エレベータ乗場、３２  乗場扉、３４  三方枠、３６  乗場壁、３８  かご呼びボタン装置、４０  かご呼びボタン、４２  情報読取部、５０  エレベータ制御盤、５２  通信回線、５４  遠隔情報センタ。
【図１】
2009256021.tif 000003
【図２】
2009256021.tif 000004
【図３】
2009256021.tif 000005
【図４】
2009256021.tif 000006